(57)【要約】【課題】複数の焦点検出エリアを任意に設定し、シャッターボタンを押下することなく撮影者の声のみで撮影を行う撮像装置を提供する。【解決手段】タッチパネル方式の画面を有する表示手段と、撮影者の声を認識する音声認識手段と、音声認識手段により認識した撮影者の声に従って、画面上に設定された複数の焦点検出エリアから、撮影動作を行う焦点検出エリアを選択して撮影動作を行う制御手段とを備える。【選択図】図４
2019120840.tif 000002
【特許請求の範囲】
【請求項１】
タッチパネル方式の画面を有する表示手段と、
撮影者の声を認識する音声認識手段と、
前記音声認識手段により認識した撮影者の声に従って、前記画面上に設定された複数の焦点検出エリアから、前記撮影動作を行う焦点検出エリアを選択して撮影動作を行う制御手段と
を備えることを特徴とする撮像装置。
【請求項２】
前記複数の焦点検出エリアは、前記撮影者により撮影前に前記画面上に設定され、
前記制御手段は、前記選択した焦点検出エリアで焦点検出を行い、撮影を行う
ことを特徴とする請求項１に記載の撮像装置。
【請求項３】
前記撮影者の声に従って隣接する複数の焦点検出エリアが選択された場合、前記制御手段は、前記音声認識手段により認識された前記隣接する複数の焦点検出エリアを選択して撮影を行う
ことを特徴とする請求項１または２に記載の撮像装置。
【発明の詳細な説明】
【技術分野】
【０００１】
本発明は、ハンドフリーシャッターを備えた撮像装置に関する。
【背景技術】
【０００２】
特許文献１には、撮影者の音声により複数の焦点検出エリアの中から所望の焦点検出エリアを選択するように構成した音声入力カメラが開示されている。
【先行技術文献】
【特許文献】
【０００３】
【特許文献１】特開平６−３１３８３８号公報
【発明の概要】
【発明が解決しようとする課題】
【０００４】
しかしながら、特許文献１に記載の音声入力カメラにおいては、複数の焦点検出エリアを任意に設定することが難しいという不利益がある。
【０００５】
本発明は、複数の焦点検出エリアを任意に設定し、シャッターボタンを押下することなく撮影者の声のみで撮影を行う撮像装置を提供することである。
【課題を解決するための手段】
【０００６】
本発明の撮像装置は、タッチパネル方式の画面を有する表示手段と、撮影者の声を認識する音声認識手段と、前記音声認識手段により認識した撮影者の声に従って、前記画面上に設定された複数の焦点検出エリアから、前記撮影動作を行う焦点検出エリアを選択して撮影動作を行う制御手段とを備えることを特徴とする。
【０００７】
好適には、前記複数の焦点検出エリアは、前記撮影者により撮影前に前記画面上に設定され、前記制御手段は、前記選択した焦点検出エリアで焦点検出を行い、撮影を行うことを特徴とする。
【０００８】
好適には、前記撮影者の声に従って隣接する複数の焦点検出エリアが選択された場合、前記制御手段は、前記音声認識手段により認識された前記隣接する複数の焦点検出エリアを選択して撮影を行うことを特徴とする。
【発明の効果】
【０００９】
本発明における撮像装置によって、複数の焦点検出エリアを任意に設定し、シャッターボタンを押下することなく撮影者の声のみで撮影を行うことが可能となった。
【図面の簡単な説明】
【００１０】
【図１】本発明の本実施形態に係る撮像装置を示す説明図である。
【図２】本発明の本実施形態に係る撮影時の状態を示す説明図である。
【図３】本発明の本実施形態に係る画面の分割例を示す説明図である。
【図４】分割したエリアを重ねて表示する画面を示す説明図である。
【発明を実施するための形態】
【００１１】
以下、本発明の実施形態を、図１〜図４を用いて詳細に説明する。
【００１２】
図１は、本発明の本実施形態に係る撮像装置を示す説明図である。
図１（Ａ）は、撮像装置としてカメラを例に示す。図１（Ｂ）は、撮像装置として、小型端末を例に示す。
【００１３】
本実施形態に係るカメラ１は、シャッターボタン１１と、表示画面１２とを備える。
本実施形態に係る小型端末２は、シャッターボタン２１と、表示画面２２とを備える。
【００１４】
カメラ１は、一眼レフカメラやコンパクトカメラ等のカメラであってよい。
小型端末２は、スマートフォンやタブレット等の小型端末であってよく、カメラ以外の撮像可能な装置であれば限定しない。
シャッターボタン１１及び２１は、撮影者が撮影を行う際に、このボタンを押下することで撮影動作が実施される。
表示画面１２及び２２は、タッチパネル式の画面を有する表示手段である。撮影者は、撮影時にこの表示画面１２及び２２を観ながら所望の撮影を実施する。
【００１５】
一般的に、カメラ１で撮影を実施する場合、撮影者は、カメラ１のレンズ（不図示）を被写体に向けて、シャッターボタン１１を押下することで、カメラ１の制御部（不図示）は、被写体の焦点検出を行い、撮影を行う。なお、焦点検出を行う場合、シャッターボタン１１を半押しするか、表示画面１２に表示された被写体を選択（タッチ）することで焦点検出をしてもよい。
また、小型端末２で撮影を実施する場合、撮影者は、小型端末２のレンズ（不図示）を被写体に向けてシャッターボタン２１を押下することで、小型端末２の制御部（不図示）は、被写体の焦点検出を行い、撮影を行う。なお、撮影や焦点検出を行う場合、表示画面２２に表示された被写体を選択（タッチ）することで行ってもよい。
【００１６】
図２は、本発明の本実施形態に係るスマートフォン２を用いた撮影時の状態を示す説明図である。
【００１７】
左手の状態３は、撮影者がスマートフォン２を左手に持って撮影を行う状態を示す。
右手の状態４は、撮影者が右手でスプーンを持ち上げている状態を示す。
【００１８】
図１に示すように、通常、カメラ１や小型端末２は、シャッターボタン１１又は２１が撮像装置に対して右手側に設けられているので、撮影者が右手でシャッターボタン１１又は２１を押下することで撮影が実施される。これに対して、図２に示すように、撮影者が右手で合焦したい被写体を持ち上げる等の行為をする場合、右手側に設けられたシャッターボタン１１又は２１を左手で押下することが難しい。
【００１９】
例えば、右手の状態４において、撮影者が持ち上げているスプーンに乗っている物体に焦点を合わせたい場合、通常、表示画面２２上に表示された、焦点を合わせたい物体をタッチする等で焦点を合わせることができる。この時、右手でスプーンを持ち上げていることから、左手で物体をタッチする必要がある。さらに、撮影をする際には、左手で右手側にあるシャッターボタン２１を押下する必要がある。
【００２０】
図３は、本発明の本実施形態に係る画面の分割例を示す説明図である。
【００２１】
図３（Ａ）は、分割無しの画面５であり、図３（Ｂ）は、４分割の画面６であり、図３（Ｃ）は、８（７＋１）分割の画面７であり、図３（Ｄ）は、９分割の画面８であり、図３（Ｅ）は、１６分割の画面９であり、図３（Ｆ）は、１３（１＋１２）分割の画面１０である。
【００２２】
本実施形態では、各分割したエリア毎に番号を付している（丸１、丸２、丸３等）。撮影者がこの番号を声で発することで、不図示の音声認識手段により、撮影者の声を認識し、焦点検出及び撮影動作を行う。
撮影者は、図３に示すように、任意に画面を複数のエリアに分割する。そして、撮影の際には、複数のエリアから所望のエリアを選択し、声により焦点検出及び撮影動作を行う。具体的には、図２に示すように、撮影者が右手でスプーンを持ち上げる等、右手が使えず、シャッターボタン２１を押下することが難しい場合に、撮影者が所望のエリアの番号を声で発する（例えば、丸１部分に合焦したい被写体が含まれている場合に、「１（イチ）」と発する）と、不図示の音声認識手段により、撮影者の声を認識して、制御部が焦点検出エリアを選択し、焦点検出及び撮影動作を行う。
【００２３】
なお、本実施形態では、エリア毎の番号として、丸１、丸２、丸３等の番号を付して設定しているが、これに限定することなく、例えば、「Ａ」、「Ｂ」、「Ｃ」等の記号で設定してもよい。この場合、音声認識手段が、撮影者の「Ａ」という言葉を認識して、撮影動作が行われる。
また、本実施形態では、任意の複数エリアを四角く分割しているが、これに限定することなく、例えば、丸型や楕円、三角形や五角形の多角形等の任意のエリアであってよい。そして、撮影者は、複数エリアの分割に際して、表示画面２２上を指やペンでタッチ等により自由に任意のエリアを設定することができる。
【００２４】
図４は、本発明の本実施形態に係る、分割したエリアを重ねて表示する画面を示す説明図である。
【００２５】
本実施形態に係る分割画面１１は、図２に示す被写体を撮影する状態に図３（Ｃ）の画面分割を適応した画面である。
エリア１１１は、撮影者が焦点を合わせたい被写体が含まれるエリアである。
【００２６】
撮影者は、撮影前に図３（Ｃ）に示すような画面分割を設定する。そして、スマートフォン２の表示画面２２に表示された合焦したい（焦点検出を行う）被写体が所定の番号のエリアを声にて指定する（本実施形態では、エリア１１１は、丸１番なので、「１（イチ）と発する」）。音声認識手段は、撮影者の音声を認識し、当該エリアに表示されている被写体の焦点検出を行い、撮影動作を実施する。
【００２７】
また、本実施形態では、撮影者が複数の焦点検出エリアから１つを選択して、声を発するが、これに限定することなく、例えば、「１、２（イチ、ニ）」もしくは「Ａ、Ｂ（エー、ビー）」等の複数の隣接エリアを選択してもよい。つまり、撮影前に分割して設定した複数の焦点検出エリアのうち、合焦したい被写体が複数のエリアに跨って表示されている場合、跨っている複数のエリアを選択することで、所望の撮影動作が可能となる。
【００２８】
＜実施形態の構成及び効果＞
撮像装置は、タッチパネル方式の画面を有する表示手段と、撮影者の声を認識する音声認識手段と、前記音声認識手段により認識した撮影者の声に従って、前記画面上に設定された複数の焦点検出エリアから、前記撮影動作を行う焦点検出エリアを選択して撮影動作を行う制御手段とを備える。
このような構成を有することから、ユーザ（撮影者）の音声のみで任意のエリアにて焦点検出及び撮影が可能になるという効果がある。つまり、一般的には、撮像装置に設けられるシャッターやタッチパネル上に表示されるシャッターボタンを押下することで、焦点検出を行い、撮影を行う。これに対して、本発明の実施形態によれば、撮像装置に設けられるシャッターやタッチパネル上に表示されるシャッターボタンを押下することなく、ユーザの音声のみで焦点検出及び撮像を行うことができる。例えば、右手に障害があって左手しか使えない場合や、右手で物を掴みながら撮影する場合等、右手が使えない状態であっても、所望のタイミングで音声のみで撮像が可能になる。
【００２９】
また、複数の焦点検出エリアは、撮影者により撮影前に画面上に設定され、制御部が選択した焦点検出エリアで焦点検出を行い、撮像を行う。
このような構成を有することから、撮影者が複数の焦点検出エリアを任意に設定することができるという効果がある。
【００３０】
また、撮影者の声に従って隣接する複数の焦点検出エリアが選択された場合、制御部は、音声認識手段により認識された隣接する複数の焦点検出エリアを選択して撮像を行う。
このような構成を有することから、合焦したいエリアが複数にまたがっている場合であっても、撮影者が所望する被写体を合焦することができるという効果がある。
【００３１】
本発明の、構造、システム、プログラムなどは、本発明の要旨を変更しない範囲で、様々に変更可能である。
例えば、２つ以上の構成部を１つにすることも可能であるし、逆に、１つの構成を２つ以上に構成して接続することも可能である。
また、上記実施形態は、あくまでも、現在のところの最良の形態の１つにすぎない。
また、制御などは、より上位の制御部分によって制御されても良いし、より末端の制御部分によって制御されても良い。
また、制御の順序なども、所定の効果を有するのであれば、適宜変更可能である。
【００３２】
＜定義等＞
本発明における撮影者の声をカメラ１やスマートフォン２に入力する手段については、マイク等であってよく、撮影者の声を入力できる装置であれば限定しない。
本発明における画面分割は、撮像装置に予め設定されている状態であっても、表示画面で、撮影者が指等で任意の範囲でエリアを分割してもよい。
本発明における焦点検出の方法や撮影方法については、既知の手法を用いて実施してよく、その方法は限定しない。
【図１】
2019120840.tif 000003
【図２】
2019120840.tif 000004
【図３】
2019120840.tif 000005
【図４】
2019120840.tif 000006